(57)【特許請求の範囲】
【請求項１】
ユーザーの皮膚に向けられることを意図されたグリップ領域を裏側に備える管状物品を、円形編み機によって製造する方法であって、当該方法においては、
少なくとも２つのフィードまたはドロップを有する円形のメリヤス製品編み機であって、そのうちの少なくとも１つの第１フィードが露出したエラストマー糸を分配することが可能である編み機と、
編み機のニードルのうちのいくつかを移動させて前記フィードにおいて分配された１または複数の糸をピックアップさせ、そのとき、他のニードルは、前記１または複数の糸をピックアップすることから外されることとなるように、ニードルを選択するデバイスと、
ニードルを起動して当該ニードルを移動させ、前記フィードで分配された１または複数の糸を、タック位置またはドロップ位置にまでピックアップさせるか、あるいは、前記ニードルを起動して当該ニードルをミス・ポジションへと移動させて、前記フィードにおいて分配された１または複数の糸をピックアップすることから外させる、カムと、
が使用され、
当該方法においては、
前記第１フィードにおいて、互いに接触するニードルからなる少なくとも１つのニードル群の中の少なくとも１つのニードルが編みを行うべく移動させられて、露出したエラストマー糸をピックアップし、そのとき、前記少なくとも１つのニードル群の中の他のニードルは、ミス・ポジションに保持され、あるいはミス・ポジションへと移動させられて、したがって、前記露出したエラストマー糸をピックアップすることから外され、
前記少なくとも１つのニードル群の中のニードルは、少なくとも１つの後続するフィードにおいて起動され、当該後続するフィードにおいて分配された１または複数の糸をピックアップし、少なくとも前記第１フィードにおいてミス・ポジションに保持されていたニードルによって編み物を形成され、
前記第１フィードにおいて露出したエラストマー糸をピックアップした少なくとも１つのニードルが、前記少なくとも１つの後続するフィードにおいて起動されて、当該後続するフィードで分配された１または複数の糸をタック位置にピックアップし、さらに、
ニードルシリンダの軸の周囲に当該ニードルシリンダの回転方向に沿って連続的に配置された４つのフィードまたはドロップを有する円形のメリヤス製品編み機を使用し、前記少なくとも１つのニードル群のそれぞれにおいて、
−前記第１フィードにおいては、前記少なくとも１つのニードルが編みのために移動されて、当該第１フィードで分配された露出したエラストマー糸をピックアップし、そのとき、前記少なくとも１つのニードル群の中の他のニードルは、ミス・ポジションに移動されるか、あるいはミス・ポジションに保持され、したがって、前記露出したエラストマー糸をピックアップすることから外され、
−前記第２フィードにおいては、前記少なくとも１つのニードル群の中のニードルが起動されて、当該第２フィードで分配された１または複数の糸をピックアップして、少なくとも第１フィードにおいて既にミス・ポジションに保持されているニードルとともに編み物を形成し、第１フィードにおいて露出したエラストマー糸をピックアップしたニードルは、移動されて、当該第２フィードではタック位置で編みを行い、
−前記第３フィードにおいては、前記少なくとも１つのニードルは移動されて、ニードルシリンダが自身の軸周りに予め定めた回数だけ回転する間、タック位置で編みを行い、当該第３フィードで分配された１または複数の糸をピックアップし、そのとき、前記少なくとも１つのニードル群の中の他のニードルは移動されて、ドロップ位置で編みを行い、当該第３フィードで分配された１または複数の糸をピックアップし、
−前記第４フィードにおいては、前記少なくとも１つのニードル群の中のニードルが起動されて、当該第４フィードで分配された１または複数の糸をピックアップして、第１フィードにおいて露出したエラストマー糸をピックアップしたニードルは、移動されて、当該第４フィードではタック位置で編みを行う、方法。
【請求項２】
前記第１フィードにおいて、前記少なくとも１つのニードルが起動されて、前記露出したエラストマー糸をタック位置でピックアップすることを特徴とする、請求項１記載の方法。
【請求項３】
前記第１フィードにおいて、前記少なくとも１つのニードルが起動されて、前記露出したエラストマー糸をドロップ位置でピックアップすることを特徴とする、請求項１記載の方法。
【請求項４】
前記露出したエラストマー糸は、前記少なくとも１つのニードルに、予めテンションをかけた状態で供給されることを特徴とする、請求項１〜３のいずれかに記載の方法。
【請求項５】
予め定めた数の編みの列が、少なくとも１つのニードル群の中の前記他のニードルによって形成された後、前記少なくとも１つの後続するフィードにおいて、前記少なくとも１つのニードルが起動されて、１または複数の糸をドロップ位置でピックアップし、編み物の新しいループを形成し、前に形成されて前記少なくとも１つのニードルのヘッドに保持されていた編み物のループがひっくり返されることを特徴とする、請求項１〜４のいずれかに記載の方法。
【請求項６】
前記予め定めた回数は４〜９回であることを特徴とする、請求項１記載の方法。
【請求項７】
前記ニードルシリンダが自身の軸周りに予め定めた回数だけ回転した後、前記少なくとも１つのニードルが起動されて、前記第３フィードにおいて、ドロップ位置で１または複数の糸をピックアップして、編み物の新しいループを形成し、前に形成されて前記少なくとも１つのニードルのヘッドに保持されていた編み物のループがひっくり返される、請求項１記載の方法。
【請求項８】
編み機のニードルシリンダのニードルは、予め定めた数のニードル群で構成されており、各ニードル群は、予め定めた数の互いに隣接するニードルで構成されており、これらニードルは、当該編み機のフィードまたはドロップにおいて、前記少なくとも１つのニードル群のように選択され起動されることを徴とする、請求項１〜７のいずれかに記載の方法。
【請求項９】
前記ニードル群のそれぞれが、互いに接触する７〜１６本のニードルで構成されていること、および
第１フィードにおいては、各ニードル群は、１：６〜１：１５である第１選択に従って選択される、すなわち、１本のニードルが起動されて、前記露出したエラストマー糸をタック位置でピックアップし、互いに接触する６〜１５本のニードルはミス・ポジションにあること、
を特徴とする、請求項８記載の方法。
【請求項１０】
前記ニードル群のそれぞれが、互いに接触する８〜１７本のニードルで構成されていること、および
第１フィードにおいては、各ニードル群は、２：６〜２：１５である第１選択に従って選択される、すなわち、互いに接触する２本のニードルが起動されて、前記露出したエラストマー糸をタック位置でピックアップし、互いに接触する６〜１５本のニードルはミス・ポジションにあること、
を特徴とする、請求項８または９記載の方法。
【請求項１１】
前記第２フィードおよび／または第４フィードにおいて、前記ニードル群のそれぞれは、第２選択に従って選択されており、
当該第２選択は、
ニードル群の中の互いに接触する２本のニードルすべてに関して、１本のニードルが起動されてタック位置で１または複数の糸をピックアップし、１本のニードルが起動されてドロップ位置で１または複数の糸をピックアップすることとなる、１：１選択と、
ニードル群の中の互いに接触する４本のニードルすべてに関して、接触する２本のニードルが起動されてタック位置で１または複数の糸をピックアップし、接触する２本のニードルが起動されてドロップ位置で１または複数の糸をピックアップすることとなる、２：２選択と、
ニードル群の中の互いに接触する３本のニードルすべてに関して、接触する２本のニードルが起動されてタック位置で１または複数の糸をピックアップし、１本のニードルが起動されてドロップ位置で１または複数の糸をピックアップすることとなる、２：１選択と、
ニードル群の中の互いに接触する３本のニードルすべてに関して、１本のニードルが起動されてタック位置で１または複数の糸をピックアップし、接触する２本のニードルが起動されてドロップ位置で１または複数の糸をピックアップすることとなる、１：２選択と、
の中から選択されていることを特徴とする、請求項８〜１０のいずれかに記載の方法。
【発明の詳細な説明】
【背景技術】
【０００１】
本発明は、円形のメリヤス製品編み機によって、裏側にグリップ領域を備えた管状の物品を製造する方法、およびその方法で得られた管状の物品に関する。その物品は、とりわけ、締上げストッキングを提供するためのものである。
【０００２】
知られているように、締上げストッキング（hold-up stocking）は、その上端近くに、ユーザーの大腿部の上領域をグリップするよう意図されたバンドを備えていて、ストッキングがずり落ちないように維持する効果を発揮している。よって、サスペンダを使用することを回避できる。
【０００３】
ある場合には、ストッキングをユーザーの皮膚上にグリップすることは、単に物品の上端に弾性バンドを設けることによって達成される。この弾性バンドは、ダブルウォレットとして編まれていて、ユーザーの大腿部の周囲を締め付ける。この解決策は、グリップが不十分であるという欠点を有する。大腿部は円錐形状であるので、弾性バンドを使用しても、それは下方へズリ落ちて、物品に沿って丸くなる傾向がある。
【０００４】
他の場合では、弾性バンド（一般にはレースで構成される）が物品の上端に設けられ、１または複数のシリコンストリップが、その内面に拡げられる。シリコンストリップは、ユーザーの皮膚に対するバンドの貼り付きを増強させる効果があり、したがって、ユーザーの大腿部に沿ってバンドが降下するのを防ぐ。
【０００５】
この解決策は、前述の解決策よりも良好な締上げ効果を達成できる。しかし、当該効果では未だ、使用中に物品がズリ落ちて丸くなるのを防ぐには、不十分であることが多い。さらに、シリコンを拡げたゴムバンドを使用することは、これら物品の生産コストをかなり増大させる。
【発明の概要】
【０００６】
本発明の目的は、円形メリヤス製品編み機を使用して、管状物品（特に、締上げストッキング）の製造を可能とする方法を創案して、上のような問題を解決することである。その方法は、当該編み機で物品を製造する間に、直接、物品の裏側にグリップ領域を設けることのできるものである。
【０００７】
このため、本発明の目的は、管状物品（特に、締上げストッキング）の製造を可能とする方法を提案することである。その物品は、知られているタイプの方法で得られるよりも、大きなグリップ効果を備えている。しかも、ユーザーの大腿部に沿って物品が丸くなることを防止できる。
【０００８】
本発明のさらなる目的は、非常に競争力の高い生産コストで、物品（特に、締上げストッキング）の製造を可能にする方法を提案することである。
【０００９】
本発明のさらなる目的は、円形メリヤス製品編み機を用いて実行できる方法を提案することである。その編み機は、好ましくは単一シリンダタイプのものであり、構造的な変更は必要ではなく、簡単に実行できるソフトウェアの改変を行なうだけの、よる知られたタイプの電子的選択を伴うものである。
【００１０】
本発明の別の目的は、快適な物品の製造を可能にする方法を提案することである。
【００１１】
この目的、および以下の説明から明らかとなるであろう他の目的は、次の方法により達成される。その方法は、円形編み機によって裏側にグリップ領域を備える管状物品、特に締上げストッキング、を製造するものである。当該方法においては、
少なくとも２つのフィードまたはドロップを有する円形のメリヤス製品編み機であって、そのうちの少なくとも１つの第１フィードが露出したエラストマー糸を分配することが可能である編み機と、
編み機のニードルのうちのいくつかを移動させて前記フィードにおいて分配された１または複数の糸をピックアップさせ、そのとき、他のニードルは、前記１または複数の糸をピックアップすることから外されることとなるように、ニードルを選択するデバイスと、
ニードルを起動して当該ニードルを移動させ、前記フィードで分配された１または複数の糸を、タック位置またはドロップ位置にまでピックアップさせるか、あるいは、前記ニードルを起動して当該ニードルをミス・ポジションへと移動させて、前記フィードにおいて分配された１または複数の糸をピックアップすることから外させる、カムと、
が使用され、以下のことを特徴する、すなわち、
当該方法は、
前記第１フィードにおいて、互いに接触するニードルからなる少なくとも１つのニードル群の中の少なくとも１つのニードルが編みを行うべく移動させられて、露出したエラストマー糸をピックアップし、そのとき、前記少なくとも１つのニードル群の中の他のニードルは、ミス・ポジションに保持され、あるいはミス・ポジションへと移動させられて、したがって、前記露出したエラストマー糸をピックアップすることから外されること、および
前記少なくとも１つのニードル群の中のニードルは、少なくとも１つの後続するフィードにおいて起動され、当該後続するフィードにおいて分配された１または複数の糸をピックアップし、少なくとも前記第１フィードにおいてミス・ポジションに保持されていたニードルによって編み物を形成すること、を特徴とする。
【００１２】
本発明に係る上記方法で得られた物品は、裏側にグリップ領域を備えていて、次のことを特徴とする。すなわち、グリップ領域は、物品の裏側に突出する露出したエラストマー糸の浮き上がった部分、あるいはブライドルで規定されていて、当該物品を構成する他の糸とともに編み込まれている。
【００１３】
本発明のさらなる特性および利点は、以下の説明から、より明らかとなるであろう。以下の説明は、好ましいが排他的ではない、本発明に係る方法の実施形態に関するものであり、その方法で得られる物品の実施形態である。それらは、添付の図面において、非限定的な例として、描かれている。
【図面の簡単な説明】
【００１４】
【図１】本発明の方法で得られた物品の側面図。その製造に使用された円形のメリヤス製品編み機から外された状態を示している。
【図２】本発明の方法で得られた物品の一部を示す拡大部分断面図。
【図３】本発明の物品の詳細拡大図。グリップ領域を、裏表逆にした状態を示している。
【図４】図３と同じ領域を詳細に示す図であって、物品の軸に対して直角方向に伸張させたものである。
【発明を実施するための形態】
【００１５】
図を参照して、本発明に係る方法は、裏側にグリップ領域を備える管状物品、特に図示したタイプの締上げストッキング、を製造する方法である。この方法においては、少なくとも２つのフィードまたはドロップを有する円形のメリヤス製品編み機が使用されるが、そのうちの少なくとも１つの第１フィードは、このフィードを通過した当該編み機のニードルに、露出したエラストマー糸を分配するために装備されている。本発明に係る方法を実行するのに使用される円形編み機は、知られている電子的なニードル選択デバイスを備えている。このニードル選択デバイスは、当該編み機のフィードまたはドロップにおいて分配された１または複数の糸をピックアップするために起動すべきニードルの選択を可能とする（そのとき、他のニードルは、当該１または複数の糸をピックアップすることから外される）。さらに、その編み機は、それ自体は知られている方法で、ニードル起動カムが設けられている。ニードル起動カムは、ニードルを移動させて、前記フィードで分配された１または複数の糸を、タック位置またはドロップ位置にピックアップさせるか、あるいは、前記ニードルをミス・ポジションへと移動させて、前記フィードにおいて分配された１または複数の糸をピックアップすることから外させる。
【００１６】
本明細書において、物品の「裏側」という表現は、ユーザーの皮膚の方を向くよう意図された物品の面を意味すると、理解すべきである。
【００１７】
本発明に係る方法を実行するのに使用できる円形メリヤス製品編み機は、それ自体は知られた方法で、他の要素およびデバイスを備えていてもよい。例えば、シンカー（sinker）、糸フィーダ等がそれにあたる。
【００１８】
より詳細には、単一のシリンダの円形のメリヤス製品編み機を使用し、ニードルシリンダ内に軸を鉛直に向けて配置したニードルで物品を製造するという、好ましい前提において、タック位置で１または複数の糸をピックアップすることは、対応する作動カムを介して、ニードルの先端またはヘッドがシンカー（sinker）によって上方へ引き出される高さレベルまでニードルを持ち上げることによって行われる。しかし、その高さレベルは、既に形成された編み物の１または複数のループが対応するニードルのラッチ下方へとスライドすることを許容するには十分ではない。この方法において、これらニードルは、対応する作動カムによって引き続き下降するときに、編み物の新しいループを形成する。そのとき、既に形成した１または複数のループは、ひっくり返される（without knocking over）ことなく、新しいループとともに、対応するニードルのヘッドまたは先端にとどまる。
【００１９】
ドロップ位置におけるニードルでの１または複数の糸のピックアップは、対応する作動カムを介して、ニードルの先端またはヘッドがシンカー（sinker）によって上方へ引き出される高さレベルまでニードルを持ち上げることによって行われる。これによって、１または複数の糸は、既に形成された編み物の１または複数のループがニードルのラッチ下方へとスライドすることを許容するのに十分な高さレベルでピックアップされる。この方法において、これらニードルは、対応する作動カムによって引き続き下降するときに、編み物の新しいループを形成し、既に形成された編み物の１または複数のループをひっくり返す（あるいは、下げる）。
【００２０】
ニードルがミス・ポジションにあるとき、そのヘッドまたは先端は、シンカーのノックオーバー面の下方に位置して、既に形成された編み物の１または複数のループを保持する。この位置において、ニードルは、対応するフィードで分配された１または複数の糸をピックアップすることはできず、したがって、編みを行うことはできない。
【００２１】
本発明に係る方法では、第１フィードにおいて、互いに接触するニードルからなる少なくとも１つのニードル群の中の少なくとも１つのニードルが編みを行うべく移動させられて、少なくとも１つのニードルが露出したエラストマー糸をピックアップする。そのとき、ニードル群の中の他のニードルは、ミス・ポジションに保持され、あるいはミス・ポジションへと移動させられて、したがって、露出したエラストマー糸をピックアップすることから外される。ニードル群の中のニードルは、少なくとも１つの後続するフィードにおいて起動され、この後続するフィードにおいて分配された１または複数の糸をピックアップし、少なくとも前記第１フィードにおいてミス・ポジションに保持または移動されていたニードルによって編み物を形成する。
【００２２】
好ましくは、第１フィードにおいて、露出したエラストマー糸をピックアップするため起動された少なくとも１つのニードルは、その糸をタック位置でピックアップする。
【００２３】
別例として、第１フィードにおいて、露出したエラストマー糸をピックアップするため起動された少なくとも１つのニードルは、その糸をドロップ位置でピックアップする。
【００２４】
好ましくは、少なくとも１つの後続するフィードにおいて、第１フィードで露出したエラストマー糸をピックアップしたニードルが起動されて、当該後続するフィードで分配された１または複数の糸をタック位置にピックアップする。
【００２５】
好都合には、予め定めた数の編みの列が、ニードル群の中の他のニードルによって（すなわち、第１フィードにおいて露出したエラストマー糸をピックアップしなかったニードルによって）形成された後、１または複数の糸をピックアップしていた糸が、少なくとも１つの後続するフィードにおいて起動されて、このフィードにおいて分配された１または複数の糸をドロップ位置でピックアップする。これにより、編み物の新しいループを形成し、既に形成されてヘッドに保持されていた編み物のループが下げられる。
【００２６】
異なる数のフィードまたはドロップを供えた編み機を使用することが可能であるという事実を変えることなく、本発明に係る方法は、編み機のニードルシリンダの軸の周りにニードルシリンダの回転方向に沿って連続的に配置された４つのフィードを備えた円形メリヤス製品編み機を使用して、好適に実行される。
【００２７】
好ましくは、物品の裏側で周方向に延在するグリップ領域を提供したい場合、編み機の実質的にすべてのニードルが使用される。これらすべてのニードルは複数の群に分けられて、各ニードル群の中のニードルは、少なくとも１つのニードル群について上述したような態様で、選択され起動される。
【００２８】
ニードル群のそれぞれが、互いに接触する７〜１６本のニードルで構成されていることが好ましい。そして、露出したエラストマー糸が分配された第１フィードにおいては、各ニードル群は、１：６〜１：１５である第１選択に従って選択される、すなわち、１本のニードルが起動されて、露出したエラストマー糸をタック位置でピックアップする。互いに接触する、あるいは後続する（第１フィードにおいて連続的に通過する）多数のニードルがミス・ポジションにおいて保持または通過するが、その数は、６〜１５本のニードルである。
【００２９】
別例として、ニードル群のそれぞれは、互いに接触する８〜１７本のニードルで構成されもよい。そして、第１フィードにおいて、各ニードル群が、２：６〜２：１５である第１選択に従って選択されてもよい。すなわち、互いに接触する２本のニードルが起動されて、露出したエラストマー糸をタック位置でピックアップする。互いに接触する、あるいは後続する（第１フィードにおいて連続的に通過する）多数のニードルがミス・ポジションにおいて保持または通過するが、その数は、６〜１５本のニードルである。
【００３０】
少なくとも１つの後続するフィードにおいて、好ましくは第２フィードにおいて、ニードル群のそれぞれは、第２選択に従って選択される。当該第２選択は、１：１選択、２：２選択、２：１選択、１：２選択の中から選ばれる。
１：１選択では、ニードル群の中の互いに接触する２本のニードルすべてに関して、１本のニードルが起動されてタック位置で１または複数の糸をピックアップし、１本のニードルが起動されてドロップ位置で１または複数の糸をピックアップする。
２：２選択では、ニードル群の中の互いに接触する４本のニードルすべてに関して、接触する２本のニードルが起動されてタック位置で１または複数の糸をピックアップし、接触する２本のニードルが起動されてドロップ位置で１または複数の糸をピックアップする。
２：１選択では、ニードル群の中の互いに接触する３本のニードルすべてに関して、接触する２本のニードルが起動されてタック位置で１または複数の糸をピックアップし、１本のニードルが起動されてドロップ位置で１または複数の糸をピックアップする。
１：２選択では、ニードル群の中の互いに接触する３本のニードルすべてに関して、１本のニードルが起動されてタック位置で１または複数の糸をピックアップし、接触する２本のニードルが起動されてドロップ位置で１または複数の糸をピックアップする。
【００３１】
第１フィードにおいて露出したエラストマー糸をピックアップしたニードルは、この第２フィードにおいては、移動されて編みを行い、タック位置で１または複数のピックアップするニードル群に属する。
【００３２】
次のことに留意すべきである。すなわち、第１フィードにおいて露出したエラストマー糸をタック位置でピックアップしたニードルは、第１フィードから第２フィードへの変遷において、下げられることはない。このことは、ニードルの引下げカムを第１フィードにおいて停止させることにより達成される。これらのニードルが下げられないという事実により、第２フィードにおいて、それらは、当該フィードで分配された１または複数の糸を、タック位置よりも僅かに高い位置でピックアップし、したがって、それらのステム上に既に形成されていたスティッチを下げる。
【００３３】
第２フィードでは、ニードルは、１または複数の糸をピックアップした後、編み物の新しいループを形成すべく、下げられる。
【００３４】
第３フィードでは、第１フィードにおいて露出したエラストマー糸をピックアップしたニードルは、タック位置において再度起動され、ニードルシリンダが予め決められた回数だけ回転する間、当該フィードにおいて分配された１または複数の糸をピックアップする。このとき、ニードル群中の他のニードルは、ドロップ位置で起動されて、この第３フィードで分配された１または複数の糸をピックアップし、編みを行う。そして、既に形成されていた編み物のループは、ひっくり返される（knocking over）。予め定められた当該回転の後、第１フィードにおいて露出したエラストマー糸をピックアップしたニードルが起動されて、１または複数の糸をドロップ位置でピックアップする。これにより、編み物の新しいループが形成され、既に形成されてヘッドに保持されていた編み物のループは、下げられる。これらニードルと互いに接触するニードルは、起動されて、タック位置で１または複数の糸をピックアップする。ニードルシリンダが引き続いて回転するとき、以前の回転のときと同様に、編みが行われる。特に、第１フィードにおいて露出したエラストマー糸をピックアップしたニードルは、この第３フィードにおいては、予め定められた他の回数だけニードルシリンダが回転する間、タック位置で再度起動される。
【００３５】
第３フィードでは、ニードルは、１または複数の糸をピックアップした後、編み物の新しいループを形成すべく、下げられる。
【００３６】
第４フィードでは、各ニードル群の中のニードルは、第２フィードで行われたのと同様のやり方で、選択され起動される。
【００３７】
第４フィードでは、ニードルは、１または複数の糸をピックアップした後、編み物の新しいループを形成すべく、下げられる。
【００３８】
次のことに留意すべきである。すなわち、ニードルシリンダが編み物を形成するために自身の軸周りに様々な回転を行うとき、グリップ領域が形成される間、様々なフィードにおけるニードルの選択は、変更されない。ただし、次の点を除く。既に説明したように、第１フィードにおいて露出したエラストマー糸をピックアップしたニードルは、第３フィードにおいては、予め定めた回数の回転の後、異なる起動がなされる。
【００３９】
ニードルシリンダが予め定めた回数だけ回転し、その後、第３フィードにおいて、第１フィードで露出したエラストマー糸をピックアップしたニードルがドロップ位置で起動されるが、当該予め定めた回数は、実質的に４〜９回である。
【００４０】
さらに、次のことに留意すべきである。すなわち、第２フィードおよび第４フィードでは、第１フィードで露出したエラストマー糸をピックアップしたニードルは、タック位置で起動されて、これら当該フィードにおいて分配された１または複数の糸をピックアップする。
【００４１】
本発明の方法で得られる管状のニット物品（その全体が参照数字１で示されている）は、その裏側にグリップ領域２を備えている。グリップ領域２は、露出したエラストマー糸３の浮き上がった部分、あるいはブライドル（bridles）で規定される。エラストマー糸３は、物品１の裏側に突出して、当該物品１を構成する他の糸と一緒に編まれる。エラストマー糸３の浮いた部分（あるいはブライドル）は、露出したエラストマー糸のピックアップの欠如によって生成される。このピックアップは、第１フィードにおいて「ミス・ポジション」へと移動した、あるいはそこに保持されたニードルの多様なニードル群によって行われるものである。それは、上に説明した通りである。
【００４２】
グリップ領域２は、好ましくは、１または２以上の周方向バンド４で規定される。各バンド４は、露出したエラストマー糸３の浮いた部分の列、あるいはターン（turn）が複数集まって、これを構成している。露出したエラストマー糸３の複数の浮いた部分の列（あるいはターン）は、物品１の軸１ａに沿って互に横並びとなっている。
【００４３】
図示した実施形態（それは、締上げストッキングに関係している）では、グリップ領域２は、物品１の軸１ａに沿って相互に間隔を置いて配置された３本の周方向バンド４で構成されている。
【００４４】
図１は、締上げストッキング（hold-up stocking）、あるいは締上げストッキングを製造するための半完成物品を示しており、それは、当該物品の製造に使用した円形のメリヤス製品編み機から外された状態にある。そのような半完成の物品は、両端が開口している。これら両端の一方は、縫う、あるいはルーピングにより閉止されて、完成品となる。
【００４５】
本発明に係る方法で得られるグリップ領域２は、反対側の端部（すなわち、締上げストッキングの上端を構成する端部）の近くに位置する。
【００４６】
グリップ領域２を規定する露出したエラストマー糸は、好ましくはシリコンゴムで構成される。
【００４７】
都合の良いことに、物品１は、グリップ領域２にギャザー部５を備えている。ギャザー部５は、物品１の製造において、好ましくは、露出したエラストマー糸３を編機のニードルに送る際に、当該エラストマー糸３にあらかじめテンションをかけることによって生成される。
【００４８】
その製造方法についての上記説明から推測できるように、露出したエラストマー糸３を、当該物品１を構成する他の糸とともに編み込むことは、タック−スティッチ・ニッティング（tuck-stitch knitting）およびニッティング−イン・スチッチ（knitting-in stitches）の方法で行うことができる。すなわち、露出したエラストマー糸３の浮いた部分を、物品１の残りの部分に接合させるためのスティッチは、物品１の軸１ａに対して互いに平行であることが好ましい。
【００４９】
好ましくは、露出したエラストマー糸３の浮いた部分のそれぞれは、実質的に６〜１５の複数の列として延在する。
【００５０】
当該物品の製造に使用される糸（露出したエラストマー糸とは異なる糸）は、少なくとも部分的に、弾力があって伸張可能な糸で構成することができる。
【００５１】
本発明に係る方法によれば、物品１をユーザーの皮膚に固定するのに使用できるグリップ領域２が裏側に既に設けられている物品１を、円形のメリヤス製品編み機から取り外すことが可能となる。特に、物品が締上げストッキングである場合、このグリップ領域は、ユーザーの大腿部にストッキングの上端を固定するに際して最大の有効性を保証し、使用時においてストッキングがズリ下がって丸くなるのを効果的に防止できる。
【００５２】
特に、グリップ領域２を作る間、編み機の第１フィードにおいて露出したエラストマー糸３をピックアップしたニードルは、続くフィードにおいてタック位置で編みを行うために移動させられるという事実の故に、他のニッティング列（露出したエラストマー糸３をピックアップしなかったニードルにより生成されたもの）よりも弾性が低いニッテイング列（露出したエラストマー糸３をピックアップしたニードルにより生成されたもの）を有するという効果が達成される。グリップ領域２を作るこの特別の方法により、物品の内側に向かって（すなわち、ユーザーの皮膚に向かって）当該領域を弾性的に装着するという効果が達成される。これにより、物品が外方へ丸くなることを効果的に防止できる。
【００５３】
弾性的に伸張可能なギャザー部５の任意的で好ましい実施例は、物品が丸くなることに対する抵抗をさらに強める効果がある。
【００５４】
単なる非限定的例として、以下に、締上げストッキングを製造する本発明に係る方法を実際に実行する２つの例を挙げる。
【００５５】
例１
ニードルが４００本で、フィード（またはドロップ）が４である、単一シリンダの円形のメリヤス製品編み機を使用する。
【００５６】
編み機のニードルは、１２本のニードル群に分割されている。
【００５７】
提供されるべき物品１は、図に示したタイプの締上げストッキングである。
【００５８】
物品１の製造は、物品１の上端（つまり、ストッキングのつま先とは反対側の端部）から始まる。
【００５９】
ニードルシリンダが予め定めた回数だけ回転した後で（その間、それ自体は知られた方法によって、ストッキングの最初の部分が製造される）、グリップ領域２の製造が始まり、それは次の通りである。
【００６０】
第１フィードにおいて、ノックオーバーカムが引き出される。それは、停止していて、ニードルを作動させない。
【００６１】
この第１フィードにおいて、露出したエラストマー糸３が分配され、１：１１の選択に従って、各ニードル群中のニードルが選択される。その結果、ニードル群の中の１本のニードルが起動して、タック位置において、露出したエラストマー糸３をピックアップする。この時、他の１１本のニードルは、「ミス・ポジション」へと移動、あるいはそこに保持される。ノックオーバーカムを停止させるという観点から、露出したエラストマー糸３をピックアップした各ニードル群内のニードルは、既にタック位置（あるいは、より正確には、タック位置よりも僅かに隆起した位置）にある第２フィードへと移動する。
【００６２】
第２フィードでは、各ニードル群のニードルは、１：１選択に従って選択される。その結果、互いに接触しているすべての2本のニードルに関して、一方のニードルを起動して、タック位置において、前記フィードで分配された糸をピックアップさせる。この時、他方のニードルが起動され、ドロップ位置において、前記フィードで分配された糸をピックアップする。第１フィードにおいて露出したエラストマー糸３をピックアップしたニードルは、第２フィードにおいてタック位置で糸をピックアップしたニードルのうちの一方である。この第２フィードでは、各ニードルに３本の糸が与えられる。そのうちの２本は７８／４６（番手＝  ７８デシテックス、４６ストランド）で、他の１本は４４／３４（番手＝  ４４デシテックス、３４ストランド）である。第２フィードにおいて３本の糸を供給することで、グリップ領域２が強くなり、当該領域が使用中に丸まる（rolling up）ことを効果的に防ぐという機能がある。
【００６３】
この第２フィードで分配された糸をピックアップした後、各ニードルが下げられて、編み物の新しいループを作る。
【００６４】
第３フィードでは、各ニードル群について、ニードルの１：１１選択が行われる。１本のニードルは、持ち上げられ、タック位置において糸をピックアップする。１１本のニードルは、ドロップ位置において持ち上げられる。タック位置に持ち上げられたニードルは、第１フィードで露出したエラストマー糸３をピックアップしたニードルである。このことは、予め決めた回数（好ましくは４回）だけニードルシリンダが回転する間に起こる。その後、５回目であって、かつ１回だけの回転において、このニードルがドロップ位置に持ち上げられ、これと接触しているニードルは、タック位置に持ち上げられる。このフィードにおいて、各ニードル（タック位置に持ち上げられたニードルと、ドロップ位置に持ち上げられたニードルの両方）には、７８／４６の糸（番手＝  ７８デシテックス、４６ストランド）が２本供給される。
【００６５】
この第３フィードで分配された糸をピックアップした後、各ニードルが下げられて、編み物の新しいループを形成する。
【００６６】
第４フィードでは、各ニードル群のニードルは、第２フィードの場合と同様に、１：１選択に従って選択される。その結果、互いに接触しているすべての2本のニードルに関して、一方のニードルを起動して、タック位置において、このフィードで分配された糸をピックアップさせる。この時、他方のニードルが起動され、ドロップ位置において、このフィードで分配された糸をピックアップする。第１フィードにおいて露出したエラストマー糸３をピックアップしたニードルは、この第４フィードにおいてタック位置で糸をピックアップしたニードルのうちの一方である。この第４フィードでは、各ニードルに３本の糸が供給される。そのうちの２本は７８／４６（番手＝  ７８デシテックス、４６ストランド）で、他の１本は４４／３４（番手＝  ４４デシテックス、３４ストランド）である。この場合においても、３本の糸を供給することで、グリップ領域２が強くなり、当該領域が使用中に丸まる（rolling up）ことを効果的に防ぐという機能がある。
【００６７】
この第４フィードで分配された糸をピックアップした後、各ニードルが下げられて、編み物の新しいループを形成する。
【００６８】
この技術によって、３本の周方向バンド４に、物品１の裏側において浮き上がる露出したエラストマー糸３の部分が与えられる。露出したエラストマー糸３が与えられた周方向バンド４の間に位置する周方向領域には、それ自体は知られた（あるいは、上述した）方法によって露出したエラストマー糸３を与えることは可能であるが、当該糸３をニードルに供給するのを省いている。
【００６９】
任意事項であるが、グリップ領域２の形成を開始する前に、ニードルシリンダを数回だけ回転させることが可能である（図示の例では、３回転）。その間、何本かのニードル（第１フィードにおいてグリップ領域２を形成するために起動されるものとは別のニードルであることが好ましい）に、露出したエラストマー糸３が供給される（任意事項であるが、第１フィードにおいて常に分配される）。この時、他のニードルは、露出したエラストマー糸３をピックアップすることから外されていて、高さが減じられた周方向バンド６を形成する。周方向バンド６も、物品１の裏側に浮き上がる露出したエラストマー糸３の部分を備えている。その部分は、任意事項であるが、グリップ領域２における露出したエラストマー糸３の浮き上がった部分に対してオフセットされている。
【００７０】
グリップ領域２を形成した後、それ自体は知られた方法で、物品１の製造が続けられ、つま先まで作られる。その後、物品１は編み機から外される。
【００７１】
例２
ニードルが４００本で、フィード（またはドロップ）が４である、単一シリンダの円形のメリヤス製品編み機を使用する。
【００７２】
編み機のニードルは、例１の場合と同様に、１２本のニードル群に分割されている。
【００７３】
本発明に係る方法の実際的な実施形態のこの第２の例においては、例１で既に説明したのと同じオペレーションが実行されるが、次の点が相違する。すなわち、編み機の第１フィードにおいて、露出したエラストマー糸３をピックアップするために起動される各ニードル群中のニードルは、タック位置ではなくドロップ位置に移動して、編みを行う。
【００７４】
実際のところ、本発明に係る方法により、意図した目的が完全に達成されることが分かった。何故なら、本発明によって、メリヤス製品編み機による当該物品１の製造過程において直接グリップ領域がその裏側に設けられる物品（特に、締上げストッキング）を製造することが可能となるからである。そして、そのようなグリップ領域を提供するために、ダブルウエフト（double weft）および／または追加の編みが必要となることはない。
【００７５】
本発明に係る方法の別の利点は、使用中にグリップ領域が丸くなること（ロールアップ）のない物品を提供できることである。
【００７６】
以上のような本発明の方法には、多数の改変および変形の余地があり、それらすべてが発明概念の範囲内にある。すべての詳細部は、さらに別の技術的に均等な要素に置き換えることができる。したがって、例えば、物品の製造は、軸方向の一端から、あるいはその反対側の一端から、開始することができる。つまり、メリヤス製品のつま先またはトップから製造を開始できる。
【００７７】
本発明は、特に締上げストッキングの製造のために着想されたが、他のタイプのメリヤス製品の製造に使用することも可能である。例えば、ニーハイの（膝までの長さの）、あるいは他のタイプのメリヤス製品であって、完成したもの、あるいは半完成の管状の物品である。
【００７８】
実際のところ、寸法および使用材料は、上に特定したもの以外では、条件および技術水準に従ってあらゆるものが可能である。
【００７９】
本件出願においてその優先権を主張しているイタリア特許出願第ＭＩ２０１４Ａ００１５６８（１０２０１４９０２２９２２８１）号および第１０２０１５００００３３２７０号での開示内容は、参照することによって本明細書に組み込まれている。
【００８０】
いずれかの請求項において技術的特徴が参照符号を伴っている場合、その参照符号は、請求項の理解度を高めることを唯一の目的として含まれている。したがって、そのような参照符号は、当該参照記号によって例示として特定された各要素を理解するにあたって、限定する効果を有するものではない。
【図１】
0006793123.tif 000002
【図２】
0006793123.tif 000003
【図３】
0006793123.tif 000004
【図４】
0006793123.tif 000005